(57)【要約】【課題】押下部を有する遊技操作部材の耐久性を向上させると共に、遊技者が押下部材を押下させる際に怪我等をする危険を低減させることができる遊技機を提供する。【解決手段】押下することを起因として遊技状態を変更する遊技操作部材６０を備えた遊技機１において、前記遊技操作部材６０は、押下可能な押下部７２と、前記押下部７２を保護するための保護部７６とを備えており、前記保護部７６は、前記押下部７２の端部側周囲の少なくとも一部を囲う状態で取り付ける構成であり、前記保護部７６を前記押下部７２に取り付けた状態で前記押下部７２と前記保護部７６の各々の外周縁面部が略面一となる構成であることを特徴とする。【選択図】図４
2007175118.tif 000002
【特許請求の範囲】
【請求項１】
押下することを起因として遊技状態を変更する遊技操作部材を備えた遊技機において、
前記遊技操作部材は、押下可能な押下部と、前記押下部を保護するための保護部とを備えており、
前記保護部は、前記押下部の端部側周囲の少なくとも一部を囲う状態で取り付ける構成であり、前記保護部を前記押下部に取り付けた状態で前記押下部と前記保護部の各々の外周縁面部が略面一となる構成であることを特徴とする遊技機。
【請求項２】
前記遊技操作部材は、前記押下部とは異なる第２押下部を有し、前記押下部を押下することで遊技状態を変更する第１操作と、前記第２押下部を前記押下部の押下方向とは異なる方向に押下することで遊技状態を変更する第２操作が可能な構成であることを特徴とする請求項１に記載の遊技機。
【請求項３】
当該遊技機には前記遊技操作部材を配置可能な遊技操作部材配置面を設けており、前記第１操作における押下方向は前記遊技操作部材配置面に対して略垂直方向であると共に前記第２操作における押下方向は前記遊技操作部材配置面に対して略平行方向であることを特徴とする請求項２に記載の遊技機。
【請求項４】
前記遊技操作部材は、遊技操作部材押下面と前記遊技操作部材押下面の端部側周囲から突設した遊技操作部材側面とから構成された柱形状であり、前記遊技操作部材側面が前記第２押下部であって、前記遊技操作部材押下面が前記遊技操作部材配置面に対して略平行であると共に前記遊技操作部材側面が前記遊技操作部材押下面から前記遊技操作部材配置面に向けて位置するように前記遊技操作部材を前記遊技操作部材配置面に設けたことを特徴とする請求項３に記載の遊技機。
【請求項５】
前記押下部と前記第２押下部の間に前記保護部を介在し、前記押下部と前記保護部と前記第２押下部の各々の外周縁面部が略面一となる構成であることを特徴とする請求項２ないし４のいずれか１項に記載の遊技機。
【請求項６】
前記第２押下部が前記保護部であることを特徴とする請求項２ないし４のいずれか１項に記載の遊技機。
【請求項７】
前記遊技操作部材には、前記押下部である押下面及び前記押下面の端部側周囲から突設した押下部材側面とから構成される筒形状の押下部材と、保護部材側面で構成される筒形状の前記保護部である保護部材とを備えており、前記押下部材側面の外周面の少なくとも一部に前記保護部材側面の内周面が当接するように前記押下部材に前記保護部材を取り付ける構成であり、前記押下部材に前記保護部材を取り付けた際に前記押下面と前記保護部材側面のうち前記押下面側端部の各々の外周縁面部が略面一となる構成であることを特徴とする請求項１ないし６のいずれか１項に記載の遊技機。
【請求項８】
前記遊技操作部材には、外周面の少なくとも一部が前記第２押下部である第２押下部材側面で構成される筒形状の第２押下部材を備えており、前記保護部材の前記保護部材側面の外周面の少なくとも一部に前記第２押下部材側面の内周面が当接するように前記保護部材に前記第２押下部材を取り付ける構成であり、前記押下部材と前記保護部材と前記第２押下部材とを取り付けた際に前記押下面と前記保護部材側面のうち前記押下面側端部と前記第２押下部材側面の前記押下面側端部との各々の外周縁面部が略面一となる構成であることを特徴とする請求項７に記載の遊技機。
【発明の詳細な説明】
【技術分野】
【０００１】
この発明は、パチンコ遊技機等の遊技機に関する。
【背景技術】
【０００２】
従来、パチンコ遊技機等の遊技機では、遊技球の入賞等に起因して、表示装置上でのキャラクタ等の画像や、駆動役物，発光体，音声等の各遊技作動装置の適宜の作動態様による演出が行われる遊技状態において、例えば、遊技中に、発射装置とは異なる操作を行うことで表示装置上に表示されるキャラクタを一の作動態様から他の作動態様に変更するように遊技操作を行うための遊技操作部材を備えたものがあった（例えば、特許文献１参照。）。このような遊技機で用いられる遊技操作部材としては、例えば、ＴＶゲーム機等で使用されるゲームパッドの操作ボタンの如く構成されることが一般的である（例えば、特許文献２参照。）。すなわち、前記遊技操作部材は、遊技機の適宜の位置（例えば、遊技盤上）に押下可能な押下部が突出して配置され、前記押下部を押下させることに起因して所定の遊技状態を他の遊技状態に変更するように構成される。
【０００３】
ところで、上記の如く押下部を有する遊技操作部材では、遊技者が遊技中に押下部を押下させる際に、過剰に力を加えたり、押下させる操作を長期間繰り返し行う等することで、前記押下部等が破損することが懸念される。また、押下部に突部等がある場合には、前記押下部を押下させる際に遊技者が怪我をしてしまうおそれもある。
【特許文献１】特開２００５−１７７０６６号公報
【特許文献２】特開平８−１９６６３号公報
【発明の開示】
【発明が解決しようとする課題】
【０００４】
この発明は、このような状況に鑑み提案されたもので、押下部を有する遊技操作部材の耐久性を向上させると共に、遊技者が押下部を押下させる際に怪我等をする危険を低減させることができる遊技機を提供するものである。
【課題を解決するための手段】
【０００５】
すなわち、請求項１の発明は、押下することを起因として遊技状態を変更する遊技操作部材を備えた遊技機において、前記遊技操作部材は、押下可能な押下部と、前記押下部を保護するための保護部とを備えており、前記保護部は、前記押下部の端部側周囲の少なくとも一部を囲う状態で取り付ける構成であり、前記保護部を前記押下部に取り付けた状態で前記押下部と前記保護部の各々の外周縁面部が略面一となる構成であることを特徴とする遊技機に係る。
【０００６】
請求項２の発明は、前記遊技操作部材は、前記押下部とは異なる第２押下部を有し、前記押下部を押下することで遊技状態を変更する第１操作と、前記第２押下部を前記押下部の押下方向とは異なる方向に押下することで遊技状態を変更する第２操作が可能な構成であることを特徴とする請求項１に記載の遊技機に係る。
【０００７】
請求項３の発明は、当該遊技機には前記遊技操作部材を配置可能な遊技操作部材配置面を設けており、前記第１操作における押下方向は前記遊技操作部材配置面に対して略垂直方向であると共に前記第２操作における押下方向は前記遊技操作部材配置面に対して略平行方向であることを特徴とする請求項２に記載の遊技機に係る。
【０００８】
請求項４の発明は、前記遊技操作部材は、遊技操作部材押下面と前記遊技操作部材押下面の端部側周囲から突設した遊技操作部材側面とから構成された柱形状であり、前記遊技操作部材側面が前記第２押下部であって、前記遊技操作部材押下面が前記遊技操作部材配置面に対して略平行であると共に前記遊技操作部材側面が前記遊技操作部材押下面から前記遊技操作部材配置面に向けて位置するように前記遊技操作部材を前記遊技操作部材配置面に設けたことを特徴とする請求項３に記載の遊技機に係る。
【０００９】
請求項５の発明は、前記押下部と前記第２押下部の間に前記保護部を介在し、前記押下部と前記保護部と前記第２押下部の各々の外周縁面部が略面一となる構成であることを特徴とする請求項２ないし４のいずれか１項に記載の遊技機に係る。
【００１０】
請求項６の発明は、前記第２押下部が前記保護部であることを特徴とする請求項２ないし４のいずれか１項に記載の遊技機に係る。
【００１１】
請求項７の発明は、前記遊技操作部材には、前記押下部である押下面及び前記押下面の端部側周囲から突設した押下部材側面とから構成される筒形状の押下部材と、保護部材側面で構成される筒形状の前記保護部である保護部材とを備えており、前記押下部材側面の外周面の少なくとも一部に前記保護部材側面の内周面が当接するように前記押下部材に前記保護部材を取り付ける構成であり、前記押下部材に前記保護部材を取り付けた際に前記押下面と前記保護部材側面のうち前記押下面側端部の各々の外周縁面部が略面一となる構成であることを特徴とする請求項１ないし６のいずれか１項に記載の遊技機に係る。
【００１２】
請求項８の発明は、前記遊技操作部材には、外周面の少なくとも一部が前記第２押下部である第２押下部材側面で構成される筒形状の第２押下部材を備えており、前記保護部材の前記保護部材側面の外周面の少なくとも一部に前記第２押下部材側面の内周面が当接するように前記保護部材に前記第２押下部材を取り付ける構成であり、前記押下部材と前記保護部材と前記第２押下部材とを取り付けた際に前記押下面と前記保護部材側面のうち前記押下面側端部と前記第２押下部材側面の前記押下面側端部との各々の外周縁面部が略面一となる構成であることを特徴とする請求項７に記載の遊技機に係る。
【発明の効果】
【００１３】
請求項１の発明に係る遊技機によれば、押下することを起因として遊技状態を変更する遊技操作部材を備えた遊技機において、前記遊技操作部材は、押下可能な押下部と、前記押下部を保護するための保護部とを備えており、前記保護部は、前記押下部の端部側周囲の少なくとも一部を囲う状態で取り付ける構成であり、前記保護部を前記押下部に取り付けた状態で前記押下部と前記保護部の各々の外周縁面部が略面一となる構成であるため、押下部を有する遊技操作部材の耐久性を向上させると共に、遊技者が押下部を押下させる際に怪我等をする危険を低減させることができる。
【００１４】
請求項２の発明によれば、請求項１において、前記遊技操作部材は、前記押下部とは異なる第２押下部を有し、前記押下部を押下することで遊技状態を変更する第１操作と、前記第２押下部を前記押下部の押下方向とは異なる方向に押下することで遊技状態を変更する第２操作が可能な構成であるため、遊技操作部材によって多様な操作を行うことが可能となり、遊技性を向上させることができる。
【００１５】
請求項３の発明によれば、請求項２において、当該遊技機には前記遊技操作部材を配置可能な遊技操作部材配置面を設けており、前記第１操作における押下方向は前記遊技操作部材配置面に対して略垂直方向であると共に前記第２操作における押下方向は前記遊技操作部材配置面に対して略平行方向であるため、遊技操作部材の操作性を向上させることができる。
【００１６】
請求項４の発明によれば、請求項３において、前記遊技操作部材は、遊技操作部材押下面と前記遊技操作部材押下面の端部側周囲から突設した遊技操作部材側面とから構成された柱形状であり、前記遊技操作部材側面が前記第２押下部であって、前記遊技操作部材押下面が前記遊技操作部材配置面に対して略平行であると共に前記遊技操作部材側面が前記遊技操作部材押下面から前記遊技操作部材配置面に向けて位置するように前記遊技操作部材を前記遊技操作部材配置面に設けたため、遊技操作部材を極めて効果的かつ効率的に操作することが可能となる。
【００１７】
請求項５の発明によれば、請求項２ないし４において、前記押下部と前記第２押下部の間に前記保護部を介在し、前記押下部と前記保護部と前記第２押下部の各々の外周縁面部が略面一となる構成であるため、押下部や第２押下部の押下に対する耐久性を向上させることができる。
【００１８】
請求項６の発明によれば、請求項２ないし４において、前記第２押下部が前記保護部であるため、第２押下部によって押下部を保護することが可能となり、遊技操作部材の構成を簡易にすることができる。
【００１９】
請求項７の発明によれば、請求項１ないし６において、前記遊技操作部材には、前記押下部である押下面及び前記押下面の端部側周囲から突設した押下部材側面とから構成される筒形状の押下部材と、保護部材側面で構成される筒形状の前記保護部である保護部材とを備えており、前記押下部材側面の外周面の少なくとも一部に前記保護部材側面の内周面が当接するように前記押下部材に前記保護部材を取り付ける構成であり、前記押下部材に前記保護部材を取り付けた際に前記押下面と前記保護部材側面のうち前記押下面側端部の各々の外周縁面部が略面一となる構成であるため、遊技操作部材の耐久性をより向上させることができると共に、遊技者が押下部を押下させる際に怪我等をする危険をより低減させることができ、さらに、押下部材と保護部材との間への異物の侵入を低減することができる。
【００２０】
請求項８の発明によれば、請求項７において、前記遊技操作部材には、外周面の少なくとも一部が前記第２押下部である第２押下部材側面で構成される筒形状の第２押下部材を備えており、前記保護部材の前記保護部材側面の外周面の少なくとも一部に前記第２押下部材側面の内周面が当接するように前記保護部材に前記第２押下部材を取り付ける構成であり、前記押下部材と前記保護部材と前記第２押下部材とを取り付けた際に前記押下面と前記保護部材側面のうち前記押下面側端部と前記第２押下部材側面の前記押下面側端部との各々の外周縁面部が略面一となる構成であるため、遊技操作部材の耐久性をより向上させると共に、遊技者が押下部や第２押下部のいずれを押下させる際でも怪我等をする危険をより低減させることができ、さらに、保護部材と第２押下部材との間への異物の侵入を低減することができる。
【発明を実施するための最良の形態】
【００２１】
以下添付の図面に基づきこの発明の好適な実施形態を説明する。
図１は第一実施例に係る遊技機全体の正面図、図２は同遊技機の下側球受け皿の部分斜視図、図３は遊技操作部材の斜視図、図４は遊技操作部材の側面図、図５は遊技操作部材の分解斜視図、図６は遊技操作部材の遊技操作部の分解斜視図、図７は遊技操作部の縦断面図、図８は遊技操作部材の外周縁面部の部分拡大図、図９は図４の遊技操作部材のＡ−Ａ断面図、図１０は図９の遊技操作部材のＢ−Ｂ断面図、図１１は図９の遊技操作部材のＣ−Ｃ断面図、図１２は遊技操作部材の第１操作時の縦断面図、図１３は遊技操作部材の第２操作時の縦断面図である。
【００２２】
図１に示す一実施例に係る遊技機（ここではパチンコ遊技機）１は、遊技盤３の縁に遊技球の外側誘導レール４及び内側誘導レール５が略円形に立設され、前記内側誘導レール５によって囲まれた遊技領域６の中心線上にその上部から下部に向かって順に表示装置９、普通電動役物である始動入賞口１０、特別電動役物である大入賞口１５、アウト口１７が配設され、また上方左右両側にはランプ風車１８ａ，１８ｂ、その下方に前記始動入賞口１０の左右に普通図柄変動開始用左ゲート１９及び普通図柄変動開始用右ゲート２１、その下方に風車２２ａ，２２ｂ、その下方に第１袖入賞口２３と第２袖入賞口２５、さらには前記大入賞口１５の両側に左落とし入賞口２７と右落とし入賞口２９が配設されている。前記種々の入賞口に遊技球が入賞すると所定数の遊技球が賞球として払い出される。また、所定条件で判定結果が当たり（この実施例では大当たり）となると、所定の特別遊技状態となって大入賞口１５が開放され、遊技球が入賞し易い状態となる。また、普通図柄変動開始用ゲート１９の検出信号により取得される普通図柄の当たり外れに関係する数値が所定値となった場合、始動入賞口１０が拡大開放状態となる。
【００２３】
前記遊技盤３の前面側には払い出された遊技球を受けるための上側球受け皿３２、前記上側球受け皿３２の飽和時に遊技球を受けるための下側球受け皿３４、遊技状態を報知するランプ表示器３５，３６、音声や効果音を発して遊技状態を遊技者に報知するスピーカ３７、遊技者の発射操作に応じて遊技球を遊技領域６に向けて弾発発射する発射装置Ｈ等の他、図１及び図２に示すように、発射装置Ｈの反対側の下側球受け皿３４に、略水平状態となるように遊技操作部材配置面１００が設けられると共に該遊技操作部材配置面１００から略垂直方向に向けて突出した状態で遊技操作部材６０がそれぞれ組み付けられている。
【００２４】
前記表示装置９の図柄表示装置４３は、液晶、ドットマトリックスもしくはＬＥＤ表示装置等の表示装置からなり、この実施例ではカラー表示可能な液晶表示器（ＴＦＴ−ＬＣＤモジュール）等からなる画像表示部（可変表示領域）５０を備えている。前記画像表示部５０は、数字、アルファベット、記号あるいは絵（キャラクタ）等の普通図柄または特別図柄を変動表示及び停止表示可能としている。また、前記画像表示部５０は、前記特別図柄の変動中に、該特別図柄に加えて背景（建物、風景等）、キャラクタ（人物、動物、植物、物等）、文字等の装飾図柄を表示し、該装飾図柄は前記特別図柄の変動開始等の所定始動条件に起因して変動表示可能となっている。
【００２５】
この遊技機１では、表示装置９や各種役物、ランプ表示器３５，３６、スピーカ３７、遊技操作部材６０、発射装置Ｈ等が適宜の制御回路を有する制御基板をそれぞれ備えており、それらは図示しない主制御回路からの制御信号に基づいて所定の処理を実行するように制御されている。なお、この遊技機１では表示装置９や各種役物、ランプ表示器３５，３６、スピーカ３７等が遊技作動装置として、適宜の作動態様による演出が実行される。
【００２６】
次に、遊技操作部材６０について、図３ないし図１３を用いて、詳しく説明する。遊技操作部材６０は、図３ないし図５に示すように、遊技操作部材配置面１００に対して略垂直方向に押下することで遊技状態を変更する第１操作と、前記遊技操作部材配置面１００に対して略水平方向に押下することで遊技状態を変更する第２操作が可能に構成されていて、前記第１操作及び第２操作が可能な遊技操作部７０と、前記遊技操作部７０を遊技操作部材配置面１００に第１操作及び第２操作が可能な状態で固定して取り付けるための遊技操作部材固定部９０とを備えている。図の符号６５は遊技操作部材６０の装飾部材である。
【００２７】
遊技操作部７０は、図６及び図７に図示したように、第１操作時に遊技操作部材配置面１００に対して略垂直方向に押下可能な押下部材７１と、前記押下部材７１を保護する保護部材７６と、第２操作時に遊技操作部材配置面１００に対して略水平方向に押下可能な第２押下部材８１とを備えている。
【００２８】
押下部材７１は、第１操作時に押下可能な押下部に相当する遊技操作部材押下面（以下、押下面）７２及び前記押下面７２の端部側周囲から突設した押下部材側面７３とによって筒形状に構成される。前記押下面７２は、遊技操作部材配置面１００に対して略平行となるように配置される。
【００２９】
保護部材７６は、前記押下部材７１を保護する保護部に相当する保護部材側面７８によって、前記押下部材７１より大径の筒形状に形成されたものであり、前記押下部材側面７３の外周面７３Ａの少なくとも一部に前記保護部材側面７８の内周面７８Ｂを当接させて、前記押下面（押下部）７２の端部側周囲の少なくとも一部を囲う状態で、前記押下部材７１に取り付けられるように構成される。
【００３０】
第２押下部材８１は、第２操作時に押下可能な第２押下部に相当する遊技操作部材側面８２を外周面の少なくとも一部に備えた第２押下部材側面８３によって、前記保護部材７６より大径の筒形状の筒形状に形成されたものであり、前記保護部材７６の保護部材側面７８の外周面７８Ａの少なくとも一部に前記第２押下部材側面８３の内周面８３Ｂが当接するように前記保護部材７６に取り付けられるように構成される。また、第２押下部材８１には、第２押下部材側面８３の内側にハーネスや発光基板等で構成される電気的部品８４が収納されていて、該第２押下部材８１の下方には前記電気的部品８４が外部に通過可能な貫通孔８５ａを有する収納軸部８５が突設されている。なお、遊技操作部材側面８２は、図示したことからよく理解されるように、前記押下面７２から前記遊技操作部材配置面１００に向けて位置するように配置される。
【００３１】
実施例の遊技操作部７０は、押下部７２と第２押下部８２との間に保護部７８を介在するように構成されたものであって、押下部材７１の押下部材側面７３の外周面７３Ａと保護部材７６の保護部材側面７８の内周面７８Ｂとを接合して、押下部材側面７３の外周面７３Ａと保護部材側面７８の内周面７８Ｂを当接させると共に、第２押下部材８１の第２押下部材側面８３の内周面８３Ｂと保護部材７６の保護部材側面７８の外周面７８Ａとを接合して、第２押下部材側面８３の内周面８３Ｂと保護部材側面７８外周面７８Ａを当接させてなる。このように、押下部材７１と保護部材７６とが接合されているので、押下部材７１と保護部材７６との間に異物が侵入することが低減され、保護部材７６と第２押下部材８１とが接合されているので、保護部材７６と第２押下部材８１との間に異物が侵入することが低減される。
【００３２】
また、この遊技操作部７０では、図８に図示したように、押下面（押下部）７２と保護部材７６の保護部材側面（保護部）７８の押下面側端部７８ａと第２押下部材８１の第２押下部材側面８３の押下面側端部８３ａの各々の外周縁面部７２ｂ，７８ｂ，８３ｂが略面一（７０Ａ）となるように構成される。
【００３３】
遊技操作部材固定部９０は、図５及び図１０，１１に示すように、上面側が開口した箱形状の固定部本体９１からなり、遊技操作部７０の第２押下部材８１下方に突設された収納軸部８５を収納して、前記遊技操作部７０が第１操作及び第２操作が可能な状態で固定されて取り付けられるように構成される。また、固定部本体９１の開口周縁部９２は、図示のように外方向に突出して形成されていて、ビス９３等を用いて遊技操作部材配置面１００の適宜の位置に固定される。この図において、符号９５は電気的部品８４を当該遊技操作部材固定部９０の外部に出すための貫通孔である。
【００３４】
この遊技操作部材６０では、図９ないし図１１に示すように、遊技操作部材固定部９０内に配置された第１付勢部材６１，第２付勢部材６６ａ，６６ｂ，６６ｃ，６６ｄによって、遊技操作部７０の第２押下部８１下方に突設された収納軸部８５が付勢保持されている。また、前記遊技操作部材６０には、遊技操作部材固定部９０内に遊技操作部７０の第１操作を検出する第１センサ部６２と、第２操作を検出する第２センサ部６７ａ，６７ｂ，６７ｃ，６７ｄとが設けられている。なお、図の符号６３は第２押下部８１下面側に設けられた第１押圧部８６によって押下される第１被検出部材、６４は第１被検出部材６３を付勢保持する付勢部材、６８ａ，６８ｂ，６８ｃ，６８ｄは第２押下部８１の収納軸部８５に設けられた第２被検出部材である。
【００３５】
第１操作は、図１０及び図１２に図示したように、遊技者が遊技操作部７０の押下面（押下部）７２を、遊技操作部材配置面１００に対して略垂直方向に押下する操作であって、前記遊技操作部７０が第１付勢部材６１の付勢力に抗して押下する際に、第２押下部８１下面側に設けられた第１押圧部８６によって第１被検出部材６３が押下されて、第１センサ部６２によって前記第１被検出部材６３の押下を検出するように構成される。
【００３６】
第２操作は、図９，１１，１３に図示したように、遊技者が遊技操作部７０の遊技操作部材側面（第２押下部）８２を、遊技操作部材配置面１００に対して略水平方向に押下する操作であって、該遊技操作部材６０の直上方向から見て前後左右の４つの方向に押下可能に構成される。例えば、遊技操作部７０を右方向に押下する場合には、遊技者が操作する方向（この例では右方向）と相対する遊技操作部材側面（第２押下部）８２（この例では左側）を押下し、遊技操作部７０が第２付勢部材６６ｃの付勢力に抗して押下する際に、第２押下部８１の収納軸部８５に設けられた第２被検出部材６７ｃの押下を検出するように構成される。なお、他の方向（前後左）に押下する場合も同様に構成されていることはいうまでもない。
【００３７】
すなわち、遊技操作部材６０は、作動状態として互いに態様が異なる第１遊技作動態様、第２遊技作動態様、第３遊技作動態様、第４遊技作動態様を備えた遊技作動装置に対し、第１操作を行うことによって第１遊技作動態様から第２遊技作動態様に移行させ、第２操作を行うことによって第３遊技作動態様から第４遊技作動態様に移行させるように構成される。実施例では、第１操作によって表示装置９上のキャラクタをジャンプさせる演出を実行し、第２操作によって遊技操作部材側面（第２押下部）８２の押下方向に応じてキャラクタを上下左右に移動させる演出を実行するものである。このように、遊技操作部材６０の操作によって前記遊技作動装置の遊技状態が変更可能に構成される。なお、前記各遊技作動態様は、第１遊技作動態様と第２遊技作動態様、第３遊技作動態様と第４遊技作動態様がそれぞれ異なるものであれば、その他の態様が同じものでも構わない。
【００３８】
上記の如く構成された遊技操作部材６０では、下側球受け皿３４に略水平状態となるように配置された遊技操作部材配置面１００に対して、略垂直方向に押下可能な押下面（押下部）７２が略平行に配置されると共に、略水平方向に押下可能な遊技操作部材側面（第２押下部）８２が前記押下面７２から前記遊技操作部材配置面１００に向けて位置するように配置されるため、第１操作及び第２操作の押下方向が、遊技者が操作しようとする方向と一致させることができ、第１操作及び第２操作を極めて効果的かつ効率的に操作することが可能となる。
【００３９】
また、この遊技操作部材６０では、遊技操作部材配置面１００に対して略垂直方向に押下可能な第１操作と、略水平方向（実施例では前後左右の４方向）に押下可能な第２操作が可能であるため、一の遊技操作部材６０で多様な操作が可能となって遊技性が向上することに加え、略垂直方向に押下可能な第１操作に対して略直行関係となるように第２操作が略水平方向に押下可能であるため、遊技者が第１操作あるいは第２操作を行う際の誤動作が発生しにくく、操作性に優れる。
【００４０】
また特に、当該遊技操作部材６０にあっては、押下部材側面７３の外周面７３Ａの少なくとも一部に保護部材側面（保護部）７８の内周面７８Ｂが当接するように押下部材７１に保護部材７６を取り付けるように構成されているため、保護部材側面（保護部）７８によって押下部材７１の押下部材側面７３を外周面７３Ａ側から補強することができる。保護部材７６の保護部材側面（保護部）７８の外周面７８Ａの少なくとも一部に第２押下部材側面８３の内周面８３Ｂが当接するように保護部材７６に第２押下部材８１を取り付けるように構成されているため、保護部材側面（保護部）７８によって第２押下部材８１の第２押下部材側面８３を内周面８３Ｂ側から補強することができる。したがって、遊技操作部材６０の耐久性が格段に向上する。
【００４１】
さらに、遊技操作部材６０の押下面（押下部）７２と保護部材側面（保護部）７８の押下面側端部７８ａとの各々の外周縁面部７２ｂ、７８ｂが面一となる構成であるため、押下部材７１と保護部材７６との外周形を滑らかに形成することができ、遊技者が押下面（押下部）７２を押下させる際に怪我等をする危険が低減する。同様に、保護部材側面７８の押下面側端部７８ａと第２押下部材側面８３の押下面側端部８３ａとの各々の外周縁面部７８ｂ、８３ｂが略面一となる構成であるため、保護部材７６と第２押下部材８１との外周形を滑らかに形成することができ、遊技者が押下面（押下部）７２や遊技操作部材側面（第２押下部）８２を押下させる際に怪我等をする危険が低減する。したがって、該遊技操作部材６０の遊技操作部７０の外周形が全体的に滑らかな形状となり、前記遊技操作部材６０を操作する際の危険を低減させることができる。
【００４２】
なお、本発明は、上記実施例で述べた構成に限るものではなく、発明の趣旨を逸脱しない範囲内において構成の一部を適宜変更して実施することができる。本発明は、パチンコ遊技機を用いて説明したが、スロットマシン遊技機等の適宜の遊技機に適用することができる。
【００４３】
実施例では、保護部材と第２押下部材をそれぞれ異なる部材として構成したが、前記保護部材と第２押下部材とを組み合わせて、前記第２押下部材が保護部材を兼用するように構成してもよい。このように、第２押下部材に保護部材を兼用させることにより、遊技操作部材の構成を簡易にすることができることに加え、第２押下部材の遊技操作部材側面（第２押下部）によって押下部材（押下部）を保護することができると共に、遊技操作部材全体を滑らかな形状に形成することもできる。
【００４４】
また、実施例の遊技操作部材では、第１操作と第２操作を実行可能に構成したが、遊技作動装置の作動態様を第１遊技作動態様と第２遊技作動態様として構成した場合は、第１操作又は第２操作の何れか一方を実行可能として、前記遊技作動部材を操作することによって第１遊技作動態様から第２遊技作動態様に移行するように構成することもできる。
【００４５】
さらに、実施例の遊技操作部材では、第１操作又は第２操作によって表示装置上のキャラクタ等による演出を変更するものとして説明したが、これに限らず、駆動役物の作動を操作したり、発光体の点滅等の操作をしたり、音声の操作をする等、適宜遊技作動装置の演出を操作可能にすることができ、加えて、前記複数の遊技作動装置のうち１の遊技作動装置を第１操作によって変更し、他の遊技作動装置を第２操作によって変更するように構成してもよい。
【００４６】
また、この実施例では、第１操作と第２操作が可能に構成したが、第１操作と第２操作を同時に実行する第３操作を可能に構成してもよい。その際、第３操作によって変更される遊技作動装置の遊技作動態様は、前述の作動態様を実行するものでもよく、新たな作動態様でも構わない。
【図面の簡単な説明】
【００４７】
【図１】第一実施例に係る遊技機全体の正面図である。
【図２】同遊技機の下側球受け皿の部分斜視図である。
【図３】遊技操作部材の斜視図である。
【図４】遊技操作部材の側面図である。
【図５】遊技操作部材の分解斜視図である。
【図６】遊技操作部材の遊技操作部の分解斜視図である。
【図７】遊技操作部の縦断面図である。
【図８】遊技操作部材の外周縁面部の部分拡大図である。
【図９】図４の遊技操作部材のＡ−Ａ断面図である。
【図１０】図９の遊技操作部材のＢ−Ｂ断面図である。
【図１１】図９の遊技操作部材のＣ−Ｃ断面図である。
【図１２】遊技操作部材の第１操作時の縦断面図である。
【図１３】遊技操作部材の第２操作時の縦断面図である。
【符号の説明】
【００４８】
１  遊技機
６０  遊技操作部材
７０  遊技操作部
７１  押下部材
７２  遊技操作部材押下面（押下部）
７６  保護部材
７８  保護部材側面（保護部）
８１  第２押下部材
８２  遊技操作部材側面（第２押下部）
８３  第２押下部材側面
９０  遊技操作部材固定部
１００  遊技操作部材配置面
【図１】
2007175118.tif 000003
【図２】
2007175118.tif 000004
【図３】
2007175118.tif 000005
【図４】
2007175118.tif 000006
【図５】
2007175118.tif 000007
【図６】
2007175118.tif 000008
【図７】
2007175118.tif 000009
【図８】
2007175118.tif 000010
【図９】
2007175118.tif 000011
【図１０】
2007175118.tif 000012
【図１１】
2007175118.tif 000013
【図１２】
2007175118.tif 000014
【図１３】
2007175118.tif 000015